(57)【要約】【課題】罹患した者に対して施した処置の良否を、処置前後の行動の変化に基づき評価することを可能とする処置評価システムを提供する。【解決手段】処置評価システムは、評価対象者に対して所定の処置を施す前の当該評価対象者の行動内容である基準データと、所定の処置を施した後の行動内容である評価データと、所定の評価基準と、を記憶する記憶手段と、基準データと評価データとを比較し、所定の評価基準に基づき前記所定の処置の良否を評価する評価手段と、を備える。【選択図】図４
2018032120.tif 000002
【特許請求の範囲】
【請求項１】
評価対象者に対して所定の処置を施す前の当該評価対象者の行動内容である基準データと、所定の処置を施した後の行動内容である評価データと、所定の評価基準と、を記憶する記憶手段と、
前記基準データと前記評価データとを比較し、前記所定の評価基準に基づき前記所定の処置の良否を評価する評価手段と、
を備える処置評価システム。
【請求項２】
前記行動内容は、単位時間あたり又は時間帯ごとの移動量であることを特徴とする請求項１に記載の処置評価システム。
【請求項３】
前記行動内容は、更に場所ごとの訪問回数及び／又は滞在時間を含むことを特徴とする請求項２に記載の処置評価システム。
【請求項４】
前記行動内容は、更に移動経路を含むことを特徴とする請求項２又は３に記載の処置評価システム。
【請求項５】
前記評価対象者の現在位置情報を逐次取得する位置取得手段を備え、
前記行動内容を、逐次取得された前記評価対象者の現在位置情報から特定する
ことを特徴とする請求項１から４のいずれか１項に記載の処置評価システム。
【請求項６】
コンピュータを請求項１から５のいずれか１項に記載の評価手段として機能させるためのプログラム。
【請求項７】
コンピュータを請求項５に記載の位置取得手段として機能させるためのプログラム。
【発明の詳細な説明】
【技術分野】
【０００１】
本発明は、罹患した者に対して施した処置の良否を、処置前後の行動の変化に基づき評価する処置評価システムおよびプログラムに関する。
【背景技術】
【０００２】
罹患した者に対して施した投薬、面接、リハビリなどの処置の良否は、処置後に行った問診・触診やその際の体の動作確認、生化学検査や透視検査などの結果が、処置前に行ったときと比べて改善されているか否かにより評価されるのが一般的である。
【発明の概要】
【発明が解決しようとする課題】
【０００３】
罹患した者に対して処置を施したことによる効果は、疾病によっては処置前後の行動の変化として顕著に現れる場合がある。本発明の目的は、罹患した者に対して施した処置の良否を、処置前後の行動の変化に基づき評価することを可能とする処置評価システム及びプログラムを提供することにある。
【課題を解決するための手段】
【０００４】
（１）本発明の処置評価システムは、評価対象者に対して所定の処置を施す前の当該評価対象者の行動内容である基準データと、所定の処置を施した後の行動内容である評価データと、所定の評価基準と、を記憶する記憶手段と、基準データと評価データとを比較し、所定の評価基準に基づき前記所定の処置の良否を評価する評価手段と、を備える。
【０００５】
本発明の処置評価システムによれば、評価対象者に対して施した所定の処置に対する効果が当該評価対象者の行動の変化として顕著に現れやすい認知症や精神疾患などの疾病の場合に、処置の良否を適切に評価することが可能となる。
【０００６】
（２）行動の変化は、一般的には移動距離や歩数などの移動量の変化に現れやすいため、例えば、行動内容を単位時間あたり又は時間帯ごとの移動量とするとよい。
【０００７】
（３）行動の変化が、場所ごとの訪問回数及び／又は滞在時間の変化に現れやすい場合には、行動内容として場所ごとの訪問回数及び／又は滞在時間を含むとよい。
【０００８】
（４）また、行動の変化が移動経路の変化に現れやすい場合には、行動内容として移動経路を含むとよい。
【０００９】
（５）行動内容を、逐次取得された評価対象者の現在位置情報から特定する場合には、例えば、評価対象者の現在位置情報を逐次取得する位置取得手段を備えるとよい。
【図面の簡単な説明】
【００１０】
【図１】本発明の処置評価システムの概略図である。
【図２】サーバ装置の構成の一例を示す図である。
【図３】病院内におけるアクセスポイントの配置の一例を示す図である。
【図４】本発明の処置評価システムの機能ブロック図である。
【発明を実施するための形態】
【００１１】
以下、図面を参照しつつ、本発明の処置評価システム及びプログラムの実施形態を説明する。
【００１２】
〔システムの構成〕
図１は、処置評価システム１の概略図である。処置評価システム１は、サーバ装置１０、複数のアクセスポイント２０、及び評価対象者が装着する発信機３０を備える。サーバ装置１０は、有線ＬＡＮや無線ＬＡＮなどのネットワークＮＷを介して接続されたアクセスポイント２０を介して発信機３０の現在位置情報を取得可能に構成される。アクセスポイント２０と発信機３０との間は任意の無線通信手段により通信を行う。アクセスポイント２０の個数は任意である。
【００１３】
図２は、サーバ装置１０の構成の一例を示す図である。サーバ装置１０はコンピュータであり、ＣＰＵ１１、ＲＯＭ１２、ＲＡＭ１３、入力部１４、表示部１５、記憶部１６、及び通信部１７を備える。
【００１４】
ＣＰＵ１１は、ＲＯＭ１２や記憶部１６に記憶されたプログラムを実行し、サーバ装置１０の機能を実現する。ＲＯＭ１２はコンピュータを動作させるための基本的なプログラムなどを記憶する不揮発性メモリである。ＲＡＭ１３はＣＰＵ１１のワークエリアを提供する揮発性メモリである。入力部１４は、キーボードやポインティングデバイス等の入力デバイスであって、利用者が入力した情報をＣＰＵ１１に提供する。表示部１５は、ＬＣＤなどのディスプレイを備え、ＣＰＵ１１の制御に従い各種の情報を表示する表示手段である。記憶部１６は、ＨＤＤやフラッシュメモリ等の記憶媒体であり、ＣＰＵ１１が実行する各種プログラムや実行に用いるテーブルなどの各種ファイルを記憶する。通信部１７は、ネットワークＮＷに接続するためのインタフェースであり、ＣＰＵ１１の制御に従い、ネットワークＮＷに接続されたアクセスポイント２０と通信する。
【００１５】
アクセスポイント２０は、発信機３０を検出するための無線ＬＡＮなどのアクセスポイントである。処置評価システム１を病院内での患者の行動に対して使用する場合、アクセスポイント２０は、例えば図３に示すように病室、廊下、トイレ、外来エリア、検査室、手術室など病院内の各所に複数設置され、それぞれ自身の通信領域内にある発信機３０が発信した所定の通信方式による信号を受信し、サーバ装置１０に転送する。各アクセスポイント２０には自身の識別ＩＤであるアクセスポイントＩＤが付与され、発信機３０から受信した信号の転送時にはこのアクセスポイントＩＤを付加してサーバ装置１０に転送する。
【００１６】
発信機３０は、評価対象者が装着し、所定の通信方式による信号を送信する。発信機３０には自身の識別ＩＤである発信機ＩＤが付与され、信号の送信時にはこの発信機ＩＤを付加して送信する。
【００１７】
〔機能の実現方法〕
続いてサーバ装置１０、アクセスポイント２０、及び発信機３０により本発明の処置評価システム１の機能がどのように実現されるかについて説明する。機能ブロック図を図４に示す。
【００１８】
＜評価対象者の行動内容の収集＞
記憶手段１０ｂであるサーバ装置１０の記憶部１６には、位置取得手段１０ａの機能を実現する発信機位置特定プログラムがあらかじめ記憶され、サーバ装置１０は次のような手順で発信機３０の現在位置を逐次取得する。なお、ここでいう位置とは、発信機３０からの信号を受信したアクセスポイント２０の設置位置である。
【００１９】
発信機位置特定プログラムは、ＣＰＵ１１に読み込まれて実行されることで、通信部１７を介してアクセスポイント２０に対し、発信機３０からの信号の受信待機指示を送信するとともに、アクセスポイント２０から当該アクセスポイント２０の設置位置を示すアクセスポイントＩＤと、当該アクセスポイント２０が受信した発信機３０の発信機ＩＤと、を含む応答信号を通信部１７を介して逐次受信し、記憶部１６に記憶するようにサーバ装置１０を機能させる。
【００２０】
アクセスポイント２０は、サーバ装置１０からの受信待機指示をトリガに発信機３０からの信号の受信を待機する。発信機３０から発信機ＩＤを含む信号が受信されると、この信号に自他を識別し、かつ、設置位置を特定するためのアクセスポイントＩＤを付加した応答信号をサーバ装置１０に対して送信する。
【００２１】
位置取得手段１０ａをこのように構成することで、評価対象者の行動内容のデータを、当該評価対象者の逐次取得された現在位置情報として記憶手段１０ｂに蓄積することができる。このようなデータの蓄積を、評価対象者に対して所定の処置を施す前と後のそれぞれについて行う。所定の処置としては、例えば、投薬、面接、リハビリなどが挙げられる。
【００２２】
なお、評価対象者の行動内容を、処置を特定せずに予め記憶手段１０ｂに逐次蓄積しておき、後から処置を特定して、その処置の前後の行動内容である基準データと評価データを、記憶手段１０ｂから抽出してもよい。
【００２３】
評価対象者の現在位置情報の収集方法は上記の方法に限られず、収集可能ないかなる方法をとっても構わない。また、位置取得手段１０ａは処置評価システム１に必ずしも組み込まれている必要はなく、処置評価システム１外で逐次収集した評価対象者の現在位置情報を記憶手段１０ｂにコピーして利用してもよい。
【００２４】
＜処置前後の行動内容の比較・評価＞
記憶手段１０ｂであるサーバ装置１０の記憶部１６には、評価手段１０ｃの機能を実現するための評価プログラムと、所定の評価基準と、が更にあらかじめ記憶される。評価プログラムは、ＣＰＵ１１に読み込まれて実行されることで、評価対象者に対して所定の処置を施す前の当該評価対象者の行動内容である基準データと、所定の処置を施した後の行動内容である評価データと、を記憶部１６から読み出して比較し、記憶部１６から読み出した所定の評価基準に基づき、所定の処置の良否を評価し、評価結果を表示部１５などに出力するようにサーバ装置１０を機能させる。
【００２５】
なお、基準データと評価データを記憶部１６から読み出した時点で、両データをシステムの利用者が直接に比較・評価可能なように、両データにつき、時間帯別の移動量や各所への訪問回数・滞在時間、移動経路などを、表やグラフなどの形で一旦表示部１５に表示し、その後の処理再開操作により、評価プログラムの実行による両データの比較、評価基準に基づく処置の良否判断、及び評価結果の表示部１５への表示を行うようにしてもよい。
【００２６】
以上のように処置評価システムを構成することで、評価対象者に対して施した所定の処置に対する効果が当該評価対象者の行動の変化として顕著に現れやすい認知症や精神疾患などの疾病の場合に、処置の良否を適切に評価することが可能となる。
【００２７】
行動の変化は、一般的には移動量の変化に現れやすいため、例えば、行動内容を単位時間あたり又は時間帯ごとの移動量とするとよい。この場合、例えば、アクセスポイントＩＤで示される各アクセスポイント２０それぞれの間の距離が記録されたアクセスポイント間距離テーブルを記憶部１６に予め記憶しておき、評価プログラムが記憶部１６に逐次記憶された評価対象者の現在位置情報の所定の時間内での軌跡とアクセスポイント間距離テーブルに記録された各アクセスポイント２０間の距離とから、移動量を計算するように構成するとよい。また、移動量は距離ではなく、例えば万歩計（登録商標）の歩数などを利用してもよい。この場合、記憶部１６には基準データ及び評価データとして万歩計（登録商標）の歩数をあらかじめ記録しておけばよい。
【００２８】
行動の変化が、場所ごとの訪問回数及び／又は滞在時間の変化に現れやすい場合には、行動内容として場所ごとの訪問回数及び／又は滞在時間を含むとよい。場所ごとの訪問回数については、例えば、記憶部１６に記憶された評価対象者の現在位置情報の軌跡から同じアクセスポイントＩＤの情報の個数をカウントするように評価プログラムを構成すればよい。場所ごとの滞在時間については、例えば、サーバ装置１０において発信機３０の現在位置情報を取得する際に、あわせて取得時刻も記憶部１６に記憶しておき、記憶部１６に逐次記憶された評価対象者の取得時刻付きの現在位置情報の軌跡から同じアクセスポイントＩＤの位置の累積時間を計算するように評価プログラムを構成すればよい。
【００２９】
また、行動の変化が移動経路の変化に現れやすい場合には、行動内容として移動経路を含むとよい。移動経路については、記憶部１６に逐次記憶された評価対象者の現在位置情報の軌跡として得ることができる。
【００３０】
所定の処置の良否の評価基準は任意であるが、行動内容を移動量としたときには、例えば処置後の増加比率を閾値とする。また、行動内容に場所ごとの訪問回数や滞在時間を考慮する場合は、例えば、増加すべき場所、減少すべき場所でそれぞれ増加比率や減少比率を閾値とする。また、行動内容に移動経路を考慮する場合は、例えば、処置後に最短又は適切な経路で移動するようになったか否かなどを評価基準とする。
【００３１】
本発明は、上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【符号の説明】
【００３２】
１…処置評価システム
１０…サーバ装置
１０ａ…位置取得手段    １０ｂ…記憶手段    １０ｃ…評価手段
１１…ＣＰＵ    １２…ＲＯＭ    １３…ＲＡＭ    １４…入力部
１５…表示部    １６…記憶部    １７…通信部
２０…アクセスポイント
３０…発信機
ＮＷ…ネットワーク
【図１】
2018032120.tif 000003
【図２】
2018032120.tif 000004
【図３】
2018032120.tif 000005
【図４】
2018032120.tif 000006